(57)【要約】【課題】  直線状のレールの間に設けられてこれらを連結し、その連結部に曲線状の搬送路を形成可能であり、簡易な構成にて搬送路の曲率半径を変化させることができるレール連結ユニットを提供する。【解決手段】  レール連結ユニット１においては、ベースプレート１１に対して各回動プレート１２〜１５を回動させるという簡易な操作により、これらベースプレート１１および各回動プレート１２〜１５が形成する曲線状の搬送路の曲率半径を調整することができる。その結果、直線状の搬送レールを接続する様々な箇所への設置が可能であり、汎用性が高い。【選択図】  図１０
2006096440.tif 000002
【特許請求の範囲】
【請求項１】
搬送チェーンの搬送路となるそれぞれ直線状をなす第１および第２の搬送レールの間に設けられ、これら第１の搬送レールと第２の搬送レールとを連結するレール連結ユニットであって、
前記搬送路を横断するように設けられ、一端側に一又は複数の支点軸を有するベースプレートと、
前記ベースプレートに隣接して配置されるとともに、一端側に前記支点軸に嵌合する回動軸を有し、その回動軸を中心に回動して前記ベースプレートから接離可能に動作する一又は複数の回動プレートと、
前記ベースプレートの他端側に固定されるとともに、前記回動プレートの回動にともなって前記回動プレートの他端側をガイドするガイド部を有する固定ベースと、
を備え、
前記ベースプレートおよび前記回動プレートのうち、その並び方向の両端に位置するプレートに、前記第１の搬送レールに接続する接続部、前記第２の搬送レールに接続する接続部が、それぞれ設けられ、
前記回動プレートを回動させることにより、所定範囲の曲率半径を有する扇状に連続的に変形可能であり、前記第１および第２の搬送レールのそれぞれが形成する直線状の搬送路につながる曲線状の搬送路を形成することを特徴とするレール連結ユニット。
【請求項２】
前記ベースプレートおよび前記回動プレートが、それぞれ略長方形板状をなし、
前記ベースプレートと前記回動プレートとを最も近接させた状態において、両プレートが互いに平行な状態となり、各プレートの中間部において、前記第１および第２の搬送レールのそれぞれが形成する直線状の搬送路につながる直線状の搬送路を形成することを特徴とする請求項１記載のレール連結ユニット。
【請求項３】
前記ベースプレートおよび前記回動プレートのそれぞれに、前記搬送チェーンを前記搬送路に沿って側方からガイド可能なガイド手段が設けられたことを特徴とする請求項２記載のレール連結ユニット。
【請求項４】
前記回動プレートの前記一端側に第２の支点軸が設けられ、
さらに、一端側に前記第２の支点軸に嵌合する第２の回動軸を有し、前記回動プレートに前記ベースプレートとは反対側で隣接して配置されるとともに、他端側が前記固定ベースにガイドされつつ、前記第２の回動軸を中心に回動して前記回動プレートから接離可能に動作する第２の回動プレートを備え、
前記ベースプレート、前記回動プレートおよび第２の回動プレートのうち、その並び方向の両端に位置するプレートに、前記第１の搬送レールに接続する接続部、前記第２の搬送レールに接続する接続部がそれぞれ設けられ、
前記回動プレートおよび第２の回動プレートを回動させることにより、前記曲線状の搬送路を形成することを特徴とする請求項１記載のレール連結ユニット。
【請求項５】
前記ガイド部は、前記固定ベースに形成された所定形状のスリットからなり、
前記回動プレートは、その前記他端側に設けられた突起が、前記スリットに挿通されてガイドされるように構成されたことを特徴とする請求項１記載のレール連結ユニット。
【請求項６】
前記ベースプレートに、前記曲線状の搬送路が形成された際に、前記搬送チェーンの側面に接触して外方への所定の張力を付与するとともに、前記搬送チェーンをガイド可能な所定の曲率の滑動面を有するガイド部材が設けられたことを特徴とする請求項３記載のレール連結ユニット。
【請求項７】
前記ガイド部材は、前記曲線状の搬送路が形成された際に、前記搬送チェーンが前記ガイド部材を除く前記ガイド手段に引っ掛かることを防止できる程度に前記張力を付与できるように、前記ベースプレートの所定の位置に固定されたことを特徴とする請求項６記載のレール連結ユニット。
【請求項８】
前記ガイド部材に、前記ベースプレートへの固定位置を、前記搬送路に対して進退する方向に所定範囲で変更可能な位置決め構造が設けられたことを特徴とする請求項７記載のレール連結ユニット。
【請求項９】
前記ベースプレート、前記回動プレートおよび第２の回動プレートが、その並び方向に交互に重なるように形成され、各プレートが前記搬送路において同一平面上に配置されるように構成されたことを特徴とする請求項４記載のレール連結ユニット。
【請求項１０】
前記接続部は、前記両端に位置するプレートの側方からそれぞれ延出し、前記第１および第２の搬送レールのそれぞれに挿通されるように連結される長尺状の連結部材からなることを特徴とする請求項１記載のレール連結ユニット。
【発明の詳細な説明】
【技術分野】
【０００１】
本発明は、直線状のレールの間に設けられてこれらを連結し、搬送チェーンを搬送するための曲線状の搬送路を形成可能なレール連結ユニットに関する。
【背景技術】
【０００２】
パチンコやスロットルなど遊技機が設置された遊技場においては、複数の遊技機が配列される各島の遊技機間に玉貸し機やメダル貸し機が設置されており、顧客がその接客面に設けられた挿入口に紙幣を挿入すると、所定数の玉やメダルが排出される。各島の内部には、このとき挿入された紙幣を端部に設置された金庫へ搬送する搬送装置が設けられている（例えば、特許文献１参照）。
【０００３】
図１１は、一般的な搬送装置およびその周辺の概略構成を表す斜視図であり、図１２は、この搬送装置により紙幣が搬送される状態を表す説明図である。
図１１に示すように、例えば複数のパチンコ機が並設された島内には複数の玉貸機１０１が点在して配置され、その島の端部に紙幣を回収する金庫１０２が設けられている。各玉貸機１０１の紙幣用受入部に投入された紙幣Ｍは、その保留部に一時的に保留され、搬送装置１０３によって金庫１０２に搬送されて収納される。この搬送装置１０３は、各保留部を経由して循環駆動される環状の搬送チェーン１０４上に紙幣搬送ユニット１０５を複数配置して構成される。そして、図１２に示すように、その紙幣搬送ユニット１０５が、各保留部を通過するときにこの保留部に保留された紙幣Ｍを把持して抜き取り、次に金庫１０２を通過するときに当該紙幣Ｍを解放して収納させる。
【特許文献１】特許第２９４０２３３号公報（図１３等）
【発明の開示】
【発明が解決しようとする課題】
【０００４】
ところで、一般的に遊技機の島は店内に直線状に配置されているため、上述した搬送チェーン１０４は、搬送路に沿って設けられた直線状の搬送レールに沿ってガイドされながら駆動される。しかし、近年では、店内の空間の有効利用やデザイン上の観点から、島の少なくとも一部を曲線状にし、搬送路を部分的に曲線状に構成することが要求されている。またその際には、汎用性の観点から、曲線状の搬送路の曲率半径にある程度の自由度があることが望まれる。なお、このような問題は、遊技機の島内に設けられる搬送装置のみならず、搬送チェーンを搬送媒体とする搬送装置には共通して言えることである。
【０００５】
本発明はこのような点に鑑みてなされたものであり、直線状のレールの間に設けられてこれらを連結し、その連結部に曲線状の搬送路を形成可能であり、簡易な構成にて搬送路の曲率半径を変化させることができるレール連結ユニットを提供することを目的とする。
【課題を解決するための手段】
【０００６】
本発明では上記問題を解決するために、搬送チェーンの搬送路となるそれぞれ直線状をなす第１および第２の搬送レールの間に設けられ、これら第１の搬送レールと第２の搬送レールとを連結するレール連結ユニットであって、前記搬送路を横断するように設けられ、一端側に一又は複数の支点軸を有するベースプレートと、前記ベースプレートに隣接して配置されるとともに、一端側に前記支点軸に嵌合する回動軸を有し、その回動軸を中心に回動して前記ベースプレートから接離可能に動作する一又は複数の回動プレートと、前記ベースプレートの他端側に固定されるとともに、前記回動プレートの回動にともなって前記回動プレートの他端側をガイドするガイド部を有する固定ベースと、を備え、前記ベースプレートおよび前記回動プレートのうち、その並び方向の両端に位置するプレートに、前記第１の搬送レールに接続する接続部、前記第２の搬送レールに接続する接続部が、それぞれ設けられ、前記回動プレートを回動させることにより、所定範囲の曲率半径を有する扇状に連続的に変形可能であり、前記第１および第２の搬送レールのそれぞれが形成する直線状の搬送路につながる曲線状の搬送路を形成することを特徴とするレール連結ユニットが提供される。
【０００７】
このようなレール連結ユニットでは、ベースプレートに対して回動プレートを回動させて両プレートを扇状に開くことにより、第１の搬送レールと第２の搬送レールとの間に曲線状の搬送路が形成される。この回動プレートは、固定ベースに設けられたガイド部によって連続的にガイドされる。この回動プレートの回動量を調整することにより、搬送路の曲率半径をある程度の自由度をもって変更することができる。
【発明の効果】
【０００８】
本発明のレール連結ユニットによれば、ベースプレートに対して回動プレートを回動させるという簡易な操作により、これらベースプレートおよび回動プレートが形成する曲線状の搬送路の曲率半径を調整することができる。その結果、直線状の搬送レールを接続する様々な箇所への設置が可能であり、汎用性が高い。
【発明を実施するための最良の形態】
【０００９】
以下、本発明のレール連結ユニットを、パチンコ店のスロットル機の島内に設けられる搬送装置に適用した例を、図面を参照して詳細に説明する。図１および図２は、当該搬送装置およびその周辺の構成を上方からみた状態の例を表す説明図である。
【００１０】
すなわち、このレール連結ユニット１は、図１に示すような円弧状の島２において搬送装置を構成する複数の直線状の搬送レール３の各接続部に配置され、互いに隣接する搬送レールを中継してこれらを連結する。図示の例では、円弧状の島２の内外両側に島台４が設けられ、それぞれ複数のスロットル機５が並設されている。隣接するスロットル機５の間には遊技用のメダルを購入するための台間機６が設置され、遊技者がスロットル機５の正面に設置された椅子７に腰掛けた状態で所定の紙幣投入口から紙幣を投入することにより、所定枚数のメダルがスロットル機５のメダル受けに払い出されるようになっている。この搬送装置は、島台４に挟まれて島内中央に円弧状に延びる空間に配置されている。なお、この搬送装置の端部には、搬送された紙幣を回収する金庫が設けられているが、ここでは便宜上図示を省略している。
【００１１】
また、レール連結ユニット１は、図２に示すような中間に曲線部を有する島２０２において搬送装置を構成する複数の直線状の搬送レール３の各接続部にも配置される。図示の例では、島２０２の内側にのみ複数のスロットル機５が並設されている。なお、図示において図１に示したものと同様の構成については同一の符号を付している。
【００１２】
次に、レール連結ユニットの構成について詳細に説明する。図３はレール連結ユニットの平面図である。
同図に示すように、レール連結ユニット１は、中央に配置されたベースプレート１１と、ベースプレート１１の両側にそれぞれ隣接して設けられた回動プレート１２，１３と、回動プレート１２，１３のベースプレートとは反対側にそれぞれ隣接して設けられた回動プレート１４，１５（第２の回動プレート）とを備えている。ベースプレート１１の回動軸側の端部には、搬送される搬送チェーンに側方から当接してこれをガイドするためのガイド部材１６が設けられ、ベースプレート１１の回動軸とは反対側の端部には、回動プレート１２〜１５の回動をガイドする固定ベース１７が設けられている。さらに、並び方向の両端に位置する回動プレート１４，１５には、隣接する搬送レール３のそれぞれに接続するための連結部材１８，１９（接続部）が互いに反対向きに延出して設けられている。本実施の形態において、ベースプレート１１，回動プレート１２〜１５および固定ベース１７はステンレス鋼板からなり、ガイド部材１６はポリアセタール樹脂からなり、固定ベースは電気亜鉛メッキ鋼板からなる。
【００１３】
図４はレール連結ユニットを構成するベースプレートおよびその周辺部の構成を表す説明図であり、（Ａ）はその平面図であり、（Ｂ）はその右側面図である。
同図に示すように、ベースプレート１１は、搬送チェーン（図１２の搬送チェーン１０４を参照）の搬送路を横断する長さを有する略長方形板状をなし、その一端側が幅方向（各プレートの並び方向）の両側に半円状に突出し、その各中心位置に下方に突出したねじ部２１，２２（支点軸）がそれぞれ設けられている。ベースプレート１１の他端側の下面には、固定ベース１７が固定されている。
【００１４】
固定ベース１７は、長方形板状をなし、その中央部においてベースプレート１１に直交するようにねじ接合されている。この固定ベース１７の長手方向の所定位置には、複数のスリット１７ａ，１７ｂ，１７ｃ，１７ｄ（ガイド部）が穿設され、各回動プレートの先端部に設けられた後述するガイド用突起を挿通してこれをガイドするようになっている。各スリットは、各プレートが形成する搬送路の曲率半径を可変できるように、所定幅を有する直線状又は直線を連結した形状に形成されているが、スリット１７ａ，１７ｂは、ねじ部２１およびその近傍をそれぞれ中心とした所定の円弧上にほぼ沿うように形成され、スリット１７ｃ，１７ｄは、ねじ部２２およびその近傍をそれぞれ中心とした所定の円弧上にほぼ沿うように形成されている。
【００１５】
また、ベースプレート１１の固定ベース１７寄りの端部近傍には、曲線状の搬送路を形成したときにその搬送路の外側の壁面を構成するガイド片２３（ガイド手段）が設けられている。このガイド片２３は、ベースプレート１１に直立して側壁を構成する側壁部２３ａ，側壁部２３ａの下端に直交して搬送路の外方に延び、ベースプレート１１にねじ接合される接合部２３ｂ，および側壁部２３ａの上端に直交して搬送路側に延出する上壁部２３ｃからなる。
【００１６】
さらに、ベースプレート１１の搬送路の裏面側には、電気亜鉛メッキ鋼板からなる断面Ｕ字状の隙間ブロック部材２４が溶接接合されている。この隙間ブロック部材２４は、ベースプレート１１の側方に所定長さ延出し、回動プレート１２，１３が回動して離間したときに形成される隙間部分を架橋し、搬送チェーンの車輪がその隙間部分に脱輪して動作不能になるのを防止する。
【００１７】
図５はレール連結ユニットを構成する回動プレートおよびその周辺部の構成を表す説明図であり、（Ａ）はその平面図であり、（Ｂ）はその右側面図である。
同図に示すように、回動プレート１２は、上述したベースプレート１１と同様に、搬送チェーンの搬送路を横断する長さを有する略長方形板状をなし、その一端側が幅方向（各プレートの並び方向）の両側に半円状に突出し、その各中心位置に円孔３１（第２の支点軸）および円孔３２（回動軸）がそれぞれ設けられている。円孔３２には、上述したベースプレート１１のねじ部２１が同軸状に重ねられる。この回動プレート１２において各円孔を含む一端側の部分は、ベースプレート１１の厚み分だけ上方に変位しており、ベースプレート１１に重ねたときに搬送路を構成する部分がこのベースプレート１１と同一平面上に配置されるように構成されている。回動プレート１２の他端側の上面には、上述した固定ベース１７のスリット１７ｂに挿通されるガイド用突起３３が上方に突出して設けられている。
【００１８】
また、回動プレート１２の他端側端部近傍には、曲線状の搬送路を形成したときにその搬送路の外側の壁面を構成するガイド片３４（ガイド手段）が設けられている。このガイド片３４の構成については、上述したガイド片２３の構成と同様であるため、同様の構成部分について同一の符号を付してその説明を省略する。
【００１９】
なお、回動プレート１３およびその周辺部の構成については、回動プレート１２およびその周辺部の構成と同様であるため、その説明については省略する。
図６はレール連結ユニットを構成する他の回動プレートおよびその周辺部の構成を表す説明図であり、（Ａ）はその平面図であり、（Ｂ）はその右側面図である。
【００２０】
同図に示すように、回動プレート１４は、上述した回動プレート１２と同様に、搬送チェーンの搬送路を横断する長さを有する略長方形板状をなし、その一端側が幅方向（各プレートの並び方向）の回動プレート１２側に半円状に突出し、その各中心位置に下方に突出してねじ部４１（回動軸）が設けられている。このねじ部４１は、上述した回動プレート１２の円孔３１に同軸状に重ねられる。このねじ部４１を含む一端側の部分は、回動プレート１２の一端側に重ねられ、このとき搬送路を構成する部分がこの回動プレート１２と同一平面上に配置されるように構成されている。回動プレート１４の他端側の上面には、上述した固定ベース１７のスリット１７ａに挿通されるガイド用突起４２が上方に突出して設けられている。
【００２１】
また、回動プレート１４の一端側端部近傍には、曲線状の搬送路を形成したときにその搬送路の内側の壁面を構成するガイド片４３（ガイド手段）が設けられ、他端側端部近傍には、曲線状の搬送路を形成したときにその搬送路の外側の壁面を構成するガイド片４４（ガイド手段）が設けられている。これらガイド片４３，４４の構成については、上述したガイド片２３の構成と同様であるため、同様の構成部分について同一の符号を付してその説明を省略する。
【００２２】
さらに、回動プレート１４の搬送路の裏面側には、電気亜鉛メッキ鋼板からなる断面Ｕ字状の連結部材１８が直交するように溶接接合されている。この連結部材１８は、回動プレート１２側に所定長さ延出し、ねじ部４１を中心とした回動動作によって回動プレート１２から離間したときに形成される隙間部分を架橋し、搬送チェーンの車輪がその隙間部分に脱輪して動作不能になるのを防止する。また、この連結部材１８は、回動プレート１２とは反対側に長く延出しており、図示しない搬送レールの端部に設けられた凹部に挿通されるように連結され、その搬送レールとともに搬送路を形成する。
【００２３】
なお、回動プレート１５およびその周辺部（連結部材１９を含む）の構成については、回動プレート１４の場合と左右対称に表れる点を除いては同様であるため、その説明については省略する。
【００２４】
図７はレール連結ユニットを構成するガイド部材およびその周辺部の構成を表す説明図であり、（Ａ）はその平面図であり、（Ｂ）はその右側面図である。
同図に示すように、ガイド部材１６は、所定の厚みを有するほぼ長方形状の本体を有し、その本体の搬送路側の先端形状が円弧状に形成されている。この円弧状の部分の先端面は、上述した各ガイド片とともに曲線状の搬送路を形成し、搬送チェーンの車輪の側面を滑動させる滑動面５１となっている。この円弧状の部分の曲率半径は、曲線状の搬送路が形成されたときに、その滑動面５１が搬送チェーンの車輪の側面に接触して外方への所定の張力を付与し、搬送チェーンが各ガイド片に引っ掛かることを防止できる程度の大きさとなっている。
【００２５】
また、ガイド部材１６には、搬送路への進退方向に延びる長円状の断面を有し、その厚み方向に貫通する一対のねじ挿通孔５２，５３（位置決め構造）が形成されており、ベースプレート１１へ固定する際の搬送路への進退方向の位置を調整できるようになっている。これにより、あらゆる曲率半径の搬送路への適用が可能となっている。
【００２６】
さらに、ガイド部材１６の搬送路側の端部上面には、このガイド部材１６の幅方向に延びるとともに、搬送路側に延出する長方形板状のカバー５４が固定されている。このカバー５４は、ステンレス鋼板からなり、部分的に搬送路の上壁を構成する。
【００２７】
図３に戻り、以上のように構成された各部品を組み立てることによってレール連結ユニット１を得る。すなわち、図４〜図７に示した部品を予め組み立てておき、ベースプレート１１の両側に回動プレート１２，１３をそれぞれ取り付ける。このとき、回動プレート１２，１３の各円孔がねじ部２１，２２のそれぞれに重ねられる一方、ガイド用突起３３が固定ベース１７のスリット１７ｂ，１７ｃのそれぞれに挿通される。そして、図示しない固定用ねじを各円孔およびねじ部に挿通して締結することにより、ベースプレート１１に対する各回動プレートの角度が決定される。続いて、回動プレート１２，１３のそれぞれに、回動プレート１４，１５をそれぞれ取り付ける。このとき、回動プレート１４，１５の各ねじ部４１が各円孔に重ねられる一方、ガイド用突起４２が固定ベース１７のスリット１７ａ，１７ｄのそれぞれに挿通される。そして、図示しない固定用ねじを各円孔およびねじ部に挿通して締結することにより、各回動プレート１４，１５の角度が決定される。そして、この状態から図示しない固定用ねじをねじ挿通孔５２，５３に挿通し、ガイド部材１６をベースプレート１１に固定することにより、レール連結ユニット１の組立が完了する。
【００２８】
図８，９および１０は、このレール連結ユニットの使用状態等の例を表す説明図である。図８は、レール連結ユニットにより曲線状の搬送路を構成した状態で搬送チェーンを組み付ける前の状態を表している。図９は、直線状の搬送路を構成した状態で搬送チェーンを組み付けたときの状態を表している。さらに、図１０は、曲線状の搬送路を構成した状態で搬送チェーンを組み付けたときの状態を表している。
【００２９】
上述した固定用ねじを緩めるなどして、図３に示したレール連結ユニット１の状態から連結部材１８，１９を把持して外方に広げると、図８に示すように、各回動プレートがその回動軸を中心に回動する。このとき、各回動プレートは、そのガイド用突起が固定ベース１７の各スリットにガイドされながら円弧を描くように広がり扇状となる。これにより、各ガイド片およびガイド部材１６によって曲線状の搬送路が形成される。この搬送路の曲率半径は、各回動プレートの開きの程度により調整することができる。そして、この状態で連結部材１８，１９が隣接する搬送レールに取り付けられ、搬送チェーンの搬送路が形成される。なお、このレール連結ユニット１は、図３に示したように各回動プレートを回動させない状態、つまり、隣接する各プレートが平行となる状態においては、直線状の搬送路を形成する。このため、レール連結ユニット１は、直線状の搬送路の搬送レールを連結するために用いることもできる。
【００３０】
すなわち、図９に示すように、レール連結ユニット１を直線状の搬送路の位置で使用したときには、搬送チェーン１０４は、各ガイド片によって形成される直線状の搬送路に沿って搬送される。この場合は、搬送チェーン１０４が各ガイド片に引っ掛かることがないため、ガイド部材１６は搬送路から退避した位置に配置されている。
【００３１】
一方、図１０に示すように、レール連結ユニット１を曲線状の搬送路の位置で使用したときには、搬送チェーン１０４は、各ガイド片およびガイド部材１６によって形成される曲線状の搬送路に沿って搬送される。この場合は、ガイド部材１６が相対的に搬送路側に進出して搬送チェーン１０４に側方からの張力を付与し、搬送チェーン１０４が各ガイド片に引っ掛かることを防止する。
【００３２】
以上に説明したように、本実施の形態のレール連結ユニット１においては、ベースプレート１１に対して各回動プレートを回動させるという簡易な操作により、これらベースプレート１１および各回動プレートが形成する曲線状の搬送路の曲率半径を調整することができる。その結果、直線状の搬送レールを接続する様々な箇所への設置が可能であり、汎用性が高い。
【００３３】
なお、上記実施の形態では、一つのベースプレート１１に対して回動プレートを４つ連結した構成を示したが、回動プレートが３つ以下であっても５つ以上連結される構成であってもよい。
【００３４】
また、ベースプレート１１および各回動プレートにおいて、回動中心となる軸には上記以外の種々の形態をとることができる。すなわち、上述のように固定用ねじにて軸を構成するのではなく、隣接するプレートの軸が嵌合するように構成することもできる。
【００３５】
また、上記実施の形態では、固定ベース１７に設けるガイド部をスリットとして形成し、各プレートに設けられたガイド用突起を挿通してガイドする構成としたが、これについても、各プレートの一部が固定ベース１７の部分によってガイドされるものであればよい。例えば、固定ベース１７にガイド用の溝や壁を設けたり、逆に、固定ベース１７側にガイド用突起を設け、各プレート側にこれをガイドするスリット、溝、壁等を設けるようにしてもよい。
【００３６】
さらに、上記実施の形態では、レール連結ユニット１と隣接する搬送レールとを接続する接続部として、回動プレート１４，１５から延出する長尺状の連結部材１８，１９を設けた構成を示したが、この搬送レールへの接続部の形態として、これ以外の種々の形態をとることもできる。例えば、隣接する搬送レールを両端に位置する回動プレートの本体に直接接続するように構成することもできる。
【００３７】
また、上記実施の形態では、ガイド部材１６の位置決めのための位置決め構造として、ガイド部材１６の本体に固定用のねじが挿通される長円状のねじ挿通孔５２，５３を設けた構成を示したが、例えば複数の円孔を搬送路への進退方向に段階的に複数設けるなど、種々の形態をとることができる。
【００３８】
また、上記実施の形態では、レール連結ユニット１を手動により所定の曲率半径の扇状に開く構成を示したが、ベースプレート１１および各回動プレート間にギア機構を設けてその曲率半径の設定を正確に行えるようにしてもよい。
【図面の簡単な説明】
【００３９】
【図１】搬送装置およびその周辺の構成を上方からみた状態の例を表す説明図である。
【図２】搬送装置およびその周辺の構成を上方からみた状態の例を表す説明図である。
【図３】レール連結ユニットの平面図である。
【図４】レール連結ユニットを構成するベースプレートおよびその周辺部の構成を表す説明図である。
【図５】レール連結ユニットを構成する回動プレートおよびその周辺部の構成を表す説明図である。
【図６】レール連結ユニットを構成する他の回動プレートおよびその周辺部の構成を表す説明図である。
【図７】レール連結ユニットを構成するガイド部材およびその周辺部の構成を表す説明図である。
【図８】レール連結ユニットの使用状態等の例を表す説明図である。
【図９】レール連結ユニットの使用状態等の例を表す説明図である。
【図１０】レール連結ユニットの使用状態等の例を表す説明図である。
【図１１】一般的な搬送装置およびその周辺の概略構成を表す斜視図である。
【図１２】搬送装置により紙幣が搬送される状態を表す説明図である。
【符号の説明】
【００４０】
１  レール連結ユニット
２，２０２  島
３  搬送レール
４  島台
５  スロットル機
６  台間機
７  椅子
１１  ベースプレート
１２，１３，１４，１５  回動プレート
１６  ガイド部材
１７  固定ベース
１７ａ，１７ｂ，１７ｃ，１７ｄ  スリット
１８，１９  連結部材
２１，２２，４１  ねじ部
２３，３４，４３，４４  ガイド片
２４  隙間ブロック部材
３１，３２  円孔
３３，４２  ガイド用突起
５１  滑動面
５２，５３  挿通孔
５４  カバー
１０４  搬送チェーン
Ｍ  紙幣
【図１】
2006096440.tif 000003
【図２】
2006096440.tif 000004
【図３】
2006096440.tif 000005
【図４】
2006096440.tif 000006
【図５】
2006096440.tif 000007
【図６】
2006096440.tif 000008
【図７】
2006096440.tif 000009
【図８】
2006096440.tif 000010
【図９】
2006096440.tif 000011
【図１０】
2006096440.tif 000012
【図１１】
2006096440.tif 000013
【図１２】
2006096440.tif 000014